(57)【要約】      （修正有）【課題】本来の身を飾るという装飾品としての効果と、ダイエット効果、食欲増進等の健康効果等を兼ね備えた装身具を提供する。【解決手段】装飾部２と耳たぶ装着部３とを有する装身具において、該耳たぶ装着部３に耳のツボに当接する小突起８を複数個所配置し、イヤリング１あるいはピアスとして使用した場合に、上記の小突起８が耳のツボに当り、当該ツボを適度に刺激することにより、本来の装飾品としての効果の他に、ダイエット効果、食欲増進等の健康効果等が期待できる。【選択図】図１
0003166504.tif 000002
【実用新案登録請求の範囲】
【請求項１】
装飾部と耳たぶ装着部とを有する装身具において、該耳たぶ装着部に耳のツボに当接する小突起を設けたことを特徴とする耳ツボ刺激用装身具。
【請求項２】
前記小突起が半球状に形成され、前記耳たぶ装着部の内側面の円周に等間隔で３箇所形成されていることを特徴とする請求項１に記載の耳ツボ刺激用装身具。
【請求項３】
前記装飾部が金属製球体であり、前記耳たぶ装着部がシリコンゴム製であり、これら装飾部と耳たぶ装着部とが金属製連結部を介して接続されたイヤリングであることを特徴とする請求項１に記載の耳ツボ刺激用装身具。
【請求項４】
装飾部が球体であり、該球体外周の一端にピアス用針が突設され、該ピアス用針を受ける耳裏当接部材を有し、該耳裏当接部材の内側向円周に等間隔で３箇所、耳ツボ当接用の小突起を設けたピアスであることを特徴とする請求項１に記載の装身具。
【考案の詳細な説明】
【技術分野】
【０００１】  本考案は、イヤリング、ピアス等に好適な耳ツボ刺激用装身具に関するものである。
【背景技術】
【０００２】  イヤリングやピアス等の装身具としては種々のデザインのものがあるが、主として身を飾ることを目的するものが殆んどあった。
一方、数はさほど多くはないが、例えば特開平９−３２７３１０号公報に示されるように、人体の耳のツボを刺激できるようなイヤリングも中には存在する。
【先行技術文献】
【０００３】
【特許文献１】  特開平９−３２７３１０号公報（図１参照）
【考案の概要】
【考案が解決しようとする課題】
【０００４】  上記したように、本来の目的である身を飾る機能以外に、耳のツボを刺激して痩身効果、健康効果等をねらいとした装身具もあるが、構造上複雑であったり、デザイン上の制約があったりして思うようなものが得られなかった。
本考案は、これらの点に鑑みてなされたもので、構造が簡単で、しかも耳のツボを確実に刺激でき痩身効果等の健康効果が確実に得られ、しかもデザイン性に優れた耳ツボ刺激用装身具を提供することを目的とするものである。
【課題を解決しようとする手段】
【０００５】  請求項１に記載の耳ツボ刺激用装身具は、装飾部と耳たぶ装着部とを有する装身具において、該耳たぶ装着部に耳のツボに当接する小突起を設けたことを特徴とする。
【０００６】  上記の小突起の形成により耳のツボを適度に刺激することができ、ダイエット効果や、逆に食欲増進効果等の健康効果が期待できるようになる。また、シンプルな構成によりデザイン性に優れ、かつ、構造が簡単であるために製造が容易で低コストで提供できる利点がある。
【０００７】  請求項２に記載の耳ツボ刺激用装身具は、前記小突起が半球状に形成され、前記耳たぶ装着部の内側面の円周に等間隔で３箇所当該小突起が形成されていることを特徴とする。
【０００８】  上記の構成により、請求項１に記載した耳ツボ刺激用装身具の効果がより確実に得られる。
【０００９】  請求項３に記載の耳ツボ刺激用装身具は、前記装飾部が金属製球体であり、前記耳たぶ装着部がシリコンゴム製であり、これら装飾部と耳たぶ装着部とが金属製連結部を介して接続されたイヤリングであることを特徴とするものである。
上記の構成により、前記両面の効果を備えた好適なイヤリング装身具が完成する。
【００１０】  請求項４に記載の耳ツボ刺激用装身具は、装飾部が球体であり、該球体外周の一端にピアス用針が突設され、該ピアス用針を受ける耳裏当接部材から成り、該耳裏当接部材の内側面の円周に等間隔で３箇所、耳ツボ当接用の小突起を設けたピアスであることを特徴とする。
上記同様に、かかる構成によれば装飾効果と健康効果をバランス良く備えたピアス装身具が完成する。
【考案の効果】
【００１１】    本考案は、上記のように構成したので、概略以下のような効果を奏する。
（１）本考案の装身具を耳たぶに装着すれば、当該装身具の耳たぶ装着部に設けた小突起により耳たぶに存在する耳のツボが適度に刺激され、ダイエットによる痩身効果、食欲増進等の健康効果が期待できる。
（２）耳たぶ装着部に設けた小突起により、装着時の安定性と空洞が出来る事により衛生面での清潔性を提供することができる。
（３）簡易な構造により部品点数が少なく、安価に製作でき、需要者に低コストで提供することができる。
（４）斬新でシンプルな構成を備え、しかもデザイン性に優れ、十分需要を喚起し得る新規な装身具を提供することができる。
【図面の簡単な説明】
【００１２】
【図１】本考案の耳ツボ刺激用装身具の一実施例を示すイヤリングの構成図であり、（Ａ）は、その側面図、（Ｂ）は、耳たぶ装着部の構成図である。
【図２】上記耳たぶ装着部の詳細図であり、（Ａ）は、耳たぶ当接部材の外側面図、（Ｂ）は、当接部材に挿入されて一体成形されるジョイント部の正面図である。
【図３】上記耳たぶ当接部材の詳細図であり、（Ａ）は、その内側から見た正面図、（Ｂ）は、その側面図である。
【図４】本考案の耳ツボ刺激用装身具を耳に実装した状態を示す説明図である。
【図５】本考案の耳ツボ刺激用装身具の他の実施例を示すピアスの構成図であり、（Ａ）は、装飾部と耳裏当接部材とを組み合わせた状態の説明図、（Ｂ）は、前記耳裏当接部材の内側から見た正面図である。
【図６】上記ピアスの他の実施例を示し、（Ａ）は、装飾部と耳裏当接部材とを組み合わせた状態の説明図、（Ｂ）は、前記耳裏当接部材の内側から見た正面図である。
【考案を実施するための形態】
【００１３】  本考案は、耳ツボ刺激用装身具に装飾部と耳たぶ装着部とを有し、該耳たぶ装着部に耳のツボに当接する小突起を設ける。この耳ツボ刺激用装身具としては、イヤリング、ピアスに適用することができるが、耳たぶへの装着部に、いずれも耳のツボに当接する位置に小突起を複数個等間隔で配置する。
【実施例】
【００１４】  以下、本発明の実施例を添付図面に基き詳細に説明する。
図１（Ａ）において、１は装身具としてのイヤリング全体を示す。
このイヤリング１は、球状の装飾部２と耳たぶ装着部３とが略Ｕ字状の連結部４を介して一体的に結合されている。これらの構成材料には特に限定されないが、前記装飾部２は、例えば貴金属で形成され、耳たぶ装着部３は柔軟性のある、例えばシリコンゴムにより形成されている。また、前記連結部４は比較的安価に入手できる金属等で形成するのが好ましい。【００１５】  上記装飾部２と連結部４との一端は互いに固定されるが、特に固定手段を限定するものではなく、例えば連結部４の一端に雄ねじ部４ａを形成し、この雄ねじ４ａを球状の装飾部２の一部に設けた雌ねじ部２ａ（図示せず）に螺合させるようにして固定しても良い。【００１６】  連結部４の他方の端部４ｂには耳たぶ装着部３が連結される。
すなわち、耳たぶ連結部３は、図１（Ｂ）に示すように、その中心部に穴５を有するドーナツ状の形状に形成され、その形状の内部に金属細線６が埋め込まれた構成となっており、該金属細線６の耳たぶ装着部３からの突出端部６ａは、係止部材７に固定される。この係止部材７と前記連結部４とがその端部４ｂを介して固定される構造となっている。【００１７】  図２は、耳たぶ装着部３の外側面及び該装着部３に埋め込まれる金属細線６の外観を示す。
耳たぶ装着部３の内側面には図２の点線で示すように、そのドーナツ状の外周に等間隔で複数の小突起８が設けられている。この小突起８の材質は、例えば硬質樹脂である。
なお、この複数の小突起８が３箇所に形成される場合は、例えば、α＝１２０度に位置に形成すれば良いが、特に等間隔配置に限定されるものではない。また、前記小突起８の高さは、前記小突起の外径の１／２程度である。【００１８】  図３（Ａ），（Ｂ）は、耳たぶ装着部３のみを拡大して示した図であり、上記したように、耳のツボに当接する位置に等間隔配置の小突起８が設けられている。
また、耳たぶ装着部３の中心部の穴５の形成は、特に本考案構成の必須の構成要素ではないが、耳たぶ装着部３の材質をシリコンゴムとした場合、当該穴５を形成することにより耳たぶに装着した際の変形が容易となり、耳たぶへのフィット感が良好となり好ましい。【００１９】  上記のように構成のイヤリング１を耳たぶ９に装着した状態を示したのが図４である。この図から明らかなように、該イヤリング１の略Ｕ字状の連結部４を耳たぶ９の縁から挿入することにより当該耳たぶ９に装着する。特にねじ留め等の手段は設けない。
したがって、当該Ｕ字状の連結部４の間隙の設定に当っては、耳たぶ９を挟んでも疼痛感がなく、かつ、落下しない程度のものとし、かつ、耳のツボを刺激するのに必要にして十分な圧接力が得られる程度の弾性力を保持できるように留意する。【００２０】  次に、本考案の他の実施例を図５及び図６を参照して説明する。
図５の実施例では、耳ツボ刺激用装身具をピアスとした例であり、装飾部１２が球体１３であり、この球体１３の外周の一端にピアス用針１４が突設されている。このピアス用針１４の自由端は耳裏当接部材１５の中心穴１６に挿通されて固定される構成となっている。【００２１】  上記耳裏当接部材１５の外側面には図５（Ａ）に示すように板ばね部材１７が配置され、この板ばね部材１７のスプリングアクションによりピアス用針１４の自由端を挟着する。
耳裏当接部材１５の内側面には、前記耳たぶ装着部３の構成と同様に、その外周に３箇所等間隔配置で小突起１８が形成されている。【００２２】  図６の実施例では、耳裏当接部材１５が半球状に形成され、この耳裏当接部材１５の内側面に前記同様に小突起１８が配置されている。【００２３】  上記のように構成のピアス１９，２０を使用する場合には、あらかじめ耳たぶに形成した透孔（図示せず）にピアス用針１４を挿通し、耳たぶの裏側には耳裏当接部材１５を当てがい、当該耳裏当接部材１５の中心穴１６に前記ピアス用針１４の自由端を挟着・固定するようにすれば良い。
上記の構成によれば、本来の装身具として身を飾る効果の他に、耳裏当接部材１５の内側面に形成した小突起１８が耳ツボに当たり、当該ツボを適度に刺激するため、痩身効果、食欲増進等の健康効果を合わせて得ることができる。
そのため、本考案はきわめて有用な装身具を提供するものである。
【符号の説明】
【００２４】１      イヤリング全体
２      装飾部
２ａ    雌ねじ部
３      耳たぶ装着部
４      連結部
４ａ    雄ねじ部
４ｂ    他方の端部
５      穴
６      金属細線
６ａ    突出端部
７      係止部材
８      小突起
９      耳たぶ
１２    装飾部
１３    球体
１４    ピアス用針
１５    耳裏当接部材
１６    中心穴
１７    板ばね手段
１８    小突起
１９    ピアス
２０    ピアス
【図１】
0003166504.tif 000003
【図２】
0003166504.tif 000004
【図３】
0003166504.tif 000005
【図４】
0003166504.tif 000006
【図５】
0003166504.tif 000007
【図６】
0003166504.tif 000008